(57)【特許請求の範囲】
【請求項１】
複数のＸ線撮影用フィルムを積載するフィルム積載部の前方上方に２枚送り防止用爪を配置したカセッテレスＸ線透視撮影台において、
このフィルム積載部の上方に位置する支点を中心に揺動自在となる支持部材と、この支持部材の前方部に揺動自在に軸支され、下端の吸着部でＸ線撮影用フィルムを吸着する吸着部支持台と、
この吸着部支持台を、支持部材の揺動に伴ってガイド手段に沿わせて前方にずらしながら上昇させ、吸着したＸ線撮影用フィルムの前方端を２枚送り防止用爪の先端に引っ掛ける吸着部支持台駆動手段と、
が設けられたことを特徴とするカセッテレスＸ線透視撮影台。
【発明の詳細な説明】
【０００１】
【発明の属する技術分野】
本発明は、Ｘ線撮影用フィルムを自動的に供給することができるカセッテレスＸ線透視撮影台に関する。
【０００２】
【従来の技術】
カセット方式のＸ線透視撮影台では、Ｘ線撮影用フィルムを１枚ずつ蛍光体に挟んで収納したカセットを撮影のたびに取り替えていた。これに対して、多数枚のＸ線撮影用フィルムをまとめてマガジンに装填しておき、撮影のたびにこのマガジンからＸ線撮影用フィルムを１枚ずつ自動的に供給できるようにしたカセッテレスＸ線透視撮影台が従来から開発されている。
【０００３】
従来のカセッテレスＸ線透視撮影台は、吸着部支持台をガイドバーでガイドして上下動させ、この吸着部支持台の吸着部でマガジン内のＸ線撮影用フィルムを吸着し持ち上げることにより、装置内にこのＸ線撮影用フィルムを供給するようにしていた。ただし、Ｘ線撮影用フィルムは、表面が平滑なシート状であるため、これらを重ね合わせると密着して剥がれ難くなり、吸着部が１枚のＸ線撮影用フィルムのみを吸着して持ち上げても、２枚以上のＸ線撮影用フィルムが同時に持ち上がり２枚送りが発生し易くなる。そこで、従来は、マガジン内の前方上方に２枚送り防止用爪を設けることにより、吸着部に吸着されて持ち上げられたＸ線撮影用フィルムの前方端をこの２枚送り防止用爪の先端に引っ掛けて、２枚以上のＸ線撮影用フィルムが同時に持ち上げられた場合に、２枚目以降をマガジン内に払い落とすようにして２枚送りを防止していた。
【０００４】
【発明が解決しようとする課題】
ところが、上記従来のカセッテレスＸ線透視撮影台では、吸着部支持台がガイドバーにガイドされて垂直に上下動するため、吸着部に吸着されて持ち上げられたＸ線撮影用フィルムの前方端を２枚送り防止用爪の先端に十分に引っ掛けることができず、２枚送りを確実に防止することができないという問題があった。
【０００５】
また、このために、２枚送り防止用爪をマガジン内に収納されたＸ線撮影用フィルムの前方端の真上にせり出して配置すると、暗室等でマガジン内にＸ線撮影用フィルムを装填する場合に、この２枚送り防止用爪が邪魔になってフィルムの装填作業が煩わしいものになったり、Ｘ線撮影用フィルムが挿入時にこの２枚送り防止用爪に擦れて傷付くおそれがあるという問題が生じる。
【０００６】
本発明は、かかる事情に鑑みてなされたものであり、吸着部支持台を円弧状に上下動させることにより、２枚送り防止用爪をフィルム積載部の十分に前方に配置した場合にも確実に２枚送りを防止することができるカセッテレスＸ線透視撮影台を提供することを目的としている。
【０００７】
【課題を解決するための手段】
本発明は、複数のＸ線撮影用フィルムを積載するフィルム積載部の前方上方に２枚送り防止用爪を配置したカセッテレスＸ線透視撮影台において、このフィルム積載部の上方に位置する支点を中心に揺動自在となる支持部材と、この支持部材の前方部に揺動自在に軸支され、下端の吸着部でＸ線撮影用フィルムを吸着する吸着部支持台と、この吸着部支持台を、支持部材の揺動に伴いガイド手段に沿って、前方にずれながら上昇させて、吸着したＸ線撮影用フィルムの前方端を２枚送り防止用爪の先端に引っ掛ける吸着部支持台駆動手段と、が設けられたことを特徴とする。この構成により、吸着部支持台は、フィルム積載部の上方の支点を中心とする支持部材の揺動に伴って上下動することにより、上昇時に円弧状の軌跡を描いて徐々に前方にずれる。従って、吸着したＸ線撮影用フィルムの前方端を上昇時に２枚送り防止用爪に確実に引っ掛けて２枚送りを防止することができる。
【０００８】
【発明の実施の形態】
以下、本発明の実施形態について図面を参照して説明する。
【０００９】
図１〜図５は本発明の一実施形態を示すものであって、図１はカセッテレスＸ線透視撮影台のフィルム供給部の正面図、図２は吸盤がＸ線撮影用フィルムを吸着する際のフィルム供給部の動作を示す正面図、図３は吸盤がＸ線撮影用フィルムを持ち上げる際のフィルム供給部の動作を示す正面図、図４は吸盤によって持ち上げられたＸ線撮影用フィルムが２枚送り防止用爪に引っ掛かる際のフィルム供給部の動作の詳細を示す部分拡大正面図、図５は吸盤がＸ線撮影用フィルムを送り出す際のフィルム供給部の動作を示す正面図である。
【００１０】
本実施形態のカセッテレスＸ線透視撮影台は、図１に示すように、マガジン１内に積載したＸ線撮影用フィルム２を１枚ずつ装置内に送り出すようにしたフィルム供給部を備えている。マガジン１は、箱状の内部に多数枚のＸ線撮影用フィルム２を収納するものであり、蓋部の前側が開口されている。また、このマガジン１の開口部の前方端上部には、２枚送り防止用爪３が配置されている。２枚送り防止用爪３は、後方に突出する水平方向の凸条を上下に複数並べて形成することにより、Ｘ線撮影用フィルム２の前方端を引っ掛けるようにしたものである。なお、この２枚送り防止用爪３は、Ｘ線撮影用フィルム２の前方端を引っ掛けるものであれば、例えば舌片状の板ばねやプラスチック板を１枚又は２枚以上後方に向けて突出させたもの等であってもよい。
【００１１】
上記マガジン１の開口部の上方には、吸盤支持台４（吸着部支持台）が配置されている。吸盤支持台４は、下端に吸盤４ａ（吸着部）を設けた支持体である。吸盤４ａは、椀を伏せた形状のゴム等からなり、底面の凹状の中央部に孔が開口され、ここから吸盤支持台４を介して図示しないエアーポンプ等によって空気が吸引されることにより、Ｘ線撮影用フィルム２を吸着させるものである。なお、この吸盤４ａに代えて、粘着テープ等によりＸ線撮影用フィルム２を吸着させる吸着部を設けることもできる。
【００１２】
吸盤支持台４は、前方上部の軸支部４ｂが支持腕５の前方端部に軸支されて前後に揺動自在となっている。支持腕５は、後方の基部がマガジン１の中央部上方の支点５ａに軸支されて、前方端部が上下に揺動自在となる。ただし、この支持腕５は、前方端部がほぼ水平位置となる高さまで上昇すると、ストッパ６（回動手段）に当接し、それよりも上方に揺動しないようになっている。
【００１３】
吸盤支持台４の後方には、垂直面の下部が後方に湾曲したガイド面を有するガイド板７（ガイド手段）が配置されている。また、吸盤支持台４には、後方下部にコロ８が設けられると共に、上部に引っ張りコイルばね９の先端が係止されている。引っ張りコイルばね９は、他端を斜め後方上方の固定部に係止することにより、この吸盤支持台４が軸支部４ｂを中心に図示左回りに回動するように（下端の吸盤４ａが後方に揺動するように）付勢する。従って、この吸盤支持台４は、支持腕５の前方端部が上下に揺動すると、コロ８がガイド板７のガイド面に押圧された状態で転がり、このガイド板７のガイド面に沿って上下動する。また、この吸盤支持台４の前方下部には、上記マガジン１の下方に配置されたモータ１０によって回転駆動されるクランク１１の先端が軸支されている。
【００１４】
上記吸盤支持台４の前方には、Ｘ線撮影用フィルム２を装置内に送るための送りローラ１２，１２が配置されている。
【００１５】
上記構成のフィルム供給部の動作を説明する。まず図２に示すように、モータ１０を図示右回りに回転させると、吸盤支持台４がクランク１１によって下方に引かれ支持腕５の揺動に伴い下降する。そして、この吸盤支持台４の吸盤４ａがマガジン１内に収納された一番上のＸ線撮影用フィルム２の表面前端部に当接し少し押圧するまで下降すると、図示しないセンサ等でこれを検出してモータ１０の回転を止める。また、吸盤４ａは、空気の吸引により、このＸ線撮影用フィルム２の表面に吸着する。この際、吸盤支持台４は、引っ張りコイルばね９に付勢されてコロ８によりガイド板７のガイド面に沿って下降するので、吸盤４ａが真下を向くようにほぼ平行移動する。従って、マガジン１内のＸ線撮影用フィルム２の残量に応じて一番上のＸ線撮影用フィルム２の高さが異なる場合にも、常に吸盤４ａが真下を向きＸ線撮影用フィルム２の表面にまっすぐ当接して確実に吸引することができる。
【００１６】
次に、図３に示すように、モータ１０を反転させて図示左回りに回転させると、吸盤支持台４がクランク１１によって上方に押され支持腕５の揺動に伴い上昇する。そして、この場合にも、吸盤支持台４は、引っ張りコイルばね９に付勢されてコロ８によりガイド板７のガイド面に沿って平行移動により上昇する。また、吸盤４ａは、吸着した１枚のＸ線撮影用フィルム２の前端部を持ち上げてマガジン１の開口部から引き出す。ただし、Ｘ線撮影用フィルム２は、重なり合うと密着して剥がれ難くなるので、２枚以上が同時に持ち上がる場合もある。しかしながら、吸盤４ａに吸着されて持ち上げられたＸ線撮影用フィルム２は、前方端をマガジン１内の前方端上部に設けられた２枚送り防止用爪３の先端に引っ掛けられるので、２枚以上が同時に持ち上げられた場合にも、２枚目以降のＸ線撮影用フィルム２は、吸盤４ａに吸着されたＸ線撮影用フィルム２から引き剥がされてマガジン１内に戻される。即ち、１枚目のＸ線撮影用フィルム２は、吸盤４ａの吸引力によって強力に吸着されているが、２枚目以降のＸ線撮影用フィルム２は、大気圧等によりこの１枚目のＸ線撮影用フィルム２に密着しているにすぎないので、前方端を２枚送り防止用爪３の先端に引っ掛けられると、容易に引き剥がされて払い落とされることになる。
【００１７】
また、上記吸盤支持台４は、マガジン１の上方の支点５ａを中心に揺動する支持腕５に伴って上昇し、かつ、ガイド板７のガイド面に沿ってほぼ平行移動するので、少なくとも吸盤４ａがＸ線撮影用フィルム２を吸着してマガジン１の開口部から引き出すまでは、図４に示すように、前方にずれながら上昇することになる。従って、２枚送り防止用爪３をマガジン１内に収納されたＸ線撮影用フィルム２の前端よりも十分に前方の上方に設けておいても、吸盤４ａに吸着されて持ち上げられたＸ線撮影用フィルム２は、前方端をこの２枚送り防止用爪３の先端に確実に引っ掛けることができる。
【００１８】
そして、支持腕５の前方端部がストッパ６によって上昇を止められ後にもモータ１０をさらに図示左回りに回転させると、図５に示すように、吸盤支持台４が引っ張りコイルばね９の引っ張り力に抗して軸支部４ｂを中心に図示右回りに回動し、吸盤４ａが前方に揺動する。すると、この吸盤４ａに吸着されたＸ線撮影用フィルム２も前方に送り出され前方端が送りローラ１２，１２の間に挿入されるので、ここで吸盤４ａによる空気の吸引を停止すると共に、送りローラ１２，１２を回転させてＸ線撮影用フィルム２を挟み込むことにより、このＸ線撮影用フィルム２を装置内に搬送することができる。
【００１９】
以上説明したように、本実施形態のカセッテレスＸ線透視撮影台によれば、吸盤支持台４の吸盤４ａがＸ線撮影用フィルム２を吸着し円弧状の軌跡を描いて徐々に前方にずれながら上昇するので、このＸ線撮影用フィルム２の前方端を２枚送り防止用爪３の先端に確実に引っ掛けて２枚送りを防止することができる。しかも、この２枚送り防止用爪３は、マガジン１内に収納されたＸ線撮影用フィルム２の前端よりも十分に前方上方にずらして配置できるので、このマガジン１内にＸ線撮影用フィルム２を装填する場合に邪魔になったり、このＸ線撮影用フィルム２が２枚送り防止用爪３に擦れて傷付くようなおそれもなくなる。
【００２０】
また、吸盤支持台４は、ガイド板７のガイド面に沿ってほぼ平行移動するので、マガジン１内のＸ線撮影用フィルム２の残量にかかわりなく、確実にこのＸ線撮影用フィルム２を吸盤４ａで吸着できるようになる。
【００２１】
さらに、この吸盤支持台４は、モータ１０の回転によって上下動と前方への回動を行うので、単一の駆動源による簡単な機構により、Ｘ線撮影用フィルム２の吸着と送り出しを行うことができるようになる。
【００２２】
なお、上記実施形態のガイド手段では、吸盤支持台４の後方にのみガイド板７を設けてコロ８をガイドしたが、ガイド溝等によりこのコロ８を挟み込んでガイドすることもできる。そして、この場合には、引っ張りコイルばね９が不要となる。
【００２３】
また、上記実施形態の回動手段では、ストッパ６によって支持腕５の上昇を制限することにより吸盤支持台４を回動させたが、上記ガイド板７のガイド面を上方で前方側に湾曲させることによりこの吸盤支持台４を回動させることもできる。
【００２４】
【発明の効果】
以上の説明から明らかなように、本発明のカセッテレスＸ線透視撮影台によれば、吸着部支持台の吸着部で吸着したＸ線撮影用フィルムを２枚送り防止用爪に確実に引っ掛けて２枚送りを防止することができる。しかも、フィルム積載部にＸ線撮影用フィルムを装填する場合に、この２枚送り防止用爪が邪魔になるようなこともない。
【００２５】
また、フィルム積載部のＸ線撮影用フィルムの残量にかかわりなく、確実にこのＸ線撮影用フィルムを吸着部支持台の吸着部で吸着できるので、安定したＸ線撮影用フィルムの供給を行うことができる。
【００２６】
さらに、単一の駆動源による簡単な機構により、Ｘ線撮影用フィルムの吸着と送り出しを行うことができるので、装置を小型簡略化すると共に駆動制御を簡略化することができる。
【図面の簡単な説明】
【図１】本発明の一実施形態を示すものであって、カセッテレスＸ線透視撮影台のフィルム供給部の正面図である。
【図２】本発明の一実施形態を示すものであって、吸盤がＸ線撮影用フィルムを吸着する際のフィルム供給部の動作を示す正面図である。
【図３】本発明の一実施形態を示すものであって、吸盤がＸ線撮影用フィルムを持ち上げる際のフィルム供給部の動作を示す正面図である。
【図４】本発明の一実施形態を示すものであって、吸盤によって持ち上げられたＸ線撮影用フィルムが２枚送り防止用爪に引っ掛かる際のフィルム供給部の動作の詳細を示す部分拡大正面図である。
【図５】本発明の一実施形態を示すものであって、吸盤がＸ線撮影用フィルムを送り出す際のフィルム供給部の動作を示す正面図である。
【符号の説明】
１    マガジン
２    Ｘ線撮影用フィルム
３    ２枚送り防止用爪
４    吸盤支持台
４ａ  吸盤
４ｂ  軸支部
５    支持腕
５ａ  支点
６    ストッパ
７    ガイド板
８    コロ
９    引っ張りコイルばね
１０    モータ
１１    クランク
【図１】
0003661311.tif 000002
【図２】
0003661311.tif 000003
【図３】
0003661311.tif 000004
【図４】
0003661311.tif 000005
【図５】
0003661311.tif 000006